(57)【要約】【課題】マイナスイオンを効率良く、多量に発生し、優れた健康、美容を発揮させる。【解決手段】多数の温水噴出口を管の長手方向に沿って外周壁に分散配設し、両端を閉じたマイナスイオン生成材収容外管３８の内部に、多数の温水噴出口を外周壁のほぼ全域に分散配設した温水噴出内管３７をほぼ同心状に配置して収容する。そして、そのマイナスイオン生成材収容外管３８に、外部から加圧した温水を温水噴出内管３７に送り込む温水送水管４４を接続し、そのマイナスイオン生成材収容外管３８と温水噴出内管３７との間の空間内に多数のマイナスイオン生成材を充填する。又、上記構成を備えたマイナスイオン発生器３０と、その発生器３０から噴出するマイナスイオンを含む温水を溜める温水溜め容器３２とをサウナ室の内部又は外部に設置し、その温水溜め容器３２から温水を導いてサウナ室内に噴水を設ける。【選択図】        図１
2006296555.tif 000002
【特許請求の範囲】
【請求項１】
多数の温水噴出口を管の長手方向に沿って外周壁に分散配設し、両端を閉じたマイナスイオン生成材収容外管の内部に、多数の温水噴出口を外周壁のほぼ全域に分散配設した温水噴出内管をほぼ同心状に配置して収容し、そのマイナスイオン生成材収容外管に、外部から加圧した温水を温水噴出内管に送り込む温水送水管を接続し、そのマイナスイオン生成材収容外管と温水噴出内管との間の空間内に多数のマイナスイオン生成材を充填することを特徴とするマイナスイオン発生器。
【請求項２】
請求項１記載のマイナスイオン発生器と、そのマイナスイオン発生器から噴出するマイナスイオンを含む温水を溜める温水溜め容器とをサウナ室の内部又は外部に設置し、その温水溜め容器から温水を導いてサウナ室内に噴水を設けることを特徴とするマイナスイオンサウナ。
【請求項３】
マイナスイオン発生器と温水溜め容器とをサウナ室の外部に設置し、そのマイナスイオン発生器から噴出し落下する温水に向けて風を送る送風機の噴射口を設け、そのサウナ室の壁部又は床部に、発生したマイナスイオンを含む水蒸気を空気の対流によってサウナ室内に導く水蒸気導入穴又は導入管を設けることを特徴とする請求項２記載のマイナスイオンサウナ。
【請求項４】
温水溜め容器中の温水に酸素ガスを混入することを特徴とする請求項２又は３記載のマイナスイオンサウナ。
【発明の詳細な説明】
【技術分野】
【０００１】
本発明はマイナスイオンを発生するマイナスイオン発生器並びにそのマイナスイオン発生器を用いるマイナスイオンサウナに関する。
【背景技術】
【０００２】
近年、トルマリン、ラジウム鉱石、麦飯石、北投石等のマイナスイオンを発生し易い鉱物（マイナスイオン生成材）を用いる種々のサウナが開発され、使用され始めている。このようなマイナスイオン生成材はその生成材に触れた空気、水等をマイナスイオン化でき、その生成材を加熱、加圧等すると、簡単に多量のマイナスイオンを発生させることができる。しかも、遠赤外線を発生する。それ故、マイナスイオン生成材を用いたサウナに入ると、そのマイナスイオン、遠赤外線による優れた健康、美容効果を享受できる。又、サウナの低温化が可能であるため、低温化により普通のサウナのように暑苦しくなく、我慢をしながら汗を搾り出す必要もなくて長時間居ても快適に過ごせる。
【０００３】
このようなマイナスイオンサウナとして、本出願人は先にサウナ室内の一側にマイナスイオン発生器を備えた滝形成装置を設けたものを提示している。そして、マイナスイオン発生器の天井部を全面開口、底部を平底にし、底に多数の落下穴をマトリックス状に分散配設した容器内に、多数のマイナスイオン生成材を収容し、そのマイナスイオン生成材に対し、直近上方に配設した温水噴出管の各噴出口より温水を注いで、マイナスイオン生成材に当て、通過させること等により加熱、加圧して、その温水をマイナスイオン化し、そのマイナスイオンを含む温水を容器の平底に設けた多数の落下穴から柱状に落下させて滝を形成することにより、多量の水蒸気を発生させる等して、サウナ室内を高湿化し、温水に含まれるマイナスイオンを空気中に拡散して多量に含ませることができることを示した。
【特許文献１】特願２００４−２９４７０４
【発明の開示】
【発明が解決しようとする課題】
【０００４】
しかしながら、このようなサウナでは空気中に存在するマイナスイオン量が多い程、優れた健康、美容効果を享受できる。それ故、マイナスイオンを効率良く多量に発生できるマイナスイオン発生器が求められている。
【０００５】
本発明はこのような従来の問題点に着目してなされたものであり、マイナスイオンを効率良く、多量に発生できるマイナスイオン発生器と、そのマイナスイオン発生器を備えて、優れた健康、美容効果を発揮できるマイナスイオンサウナを提供することを目的とする。
【課題を解決するための手段】
【０００６】
上記目的を達成するために、本発明によるマイナスイオン発生器は、多数の温水噴出口を管の長手方向に沿って外周壁に分散配設し、両端を閉じたマイナスイオン生成材収容外管の内部に、多数の温水噴出口を外周壁のほぼ全域に分散配設した温水噴出内管をほぼ同心状に配置して収容する。そして、そのマイナスイオン生成材収容外管に、外部から加圧した温水を温水噴出内管に送り込む温水送水管を接続し、そのマイナスイオン生成材収容外管と温水噴出内管との間の空間内に多数のマイナスイオン生成材を充填する。
【０００７】
又、本発明によるマイナスイオンサウナは、上記マイナスイオン発生器と、そのマイナスイオン発生器から噴出するマイナスイオンを含む温水を溜める温水溜め容器とをサウナ室の内部又は外部に設置し、その温水溜め容器から温水を導いてサウナ室内に噴水を設ける。
【０００８】
又、上記マイナスイオン発生器と温水溜め容器とをサウナ室の外部に設置し、そのマイナスイオン発生器から噴出し落下する温水に向けて風を送る送風機の噴射口を設け、そのサウナ室の壁部又は床部に、発生したマイナスイオンを含む水蒸気を空気の対流によってサウナ室内に導く水蒸気導入穴又は導入管を設けるとよい。
【０００９】
又、上記温水溜め容器中の温水に酸素ガスを混入するとよい。
【発明の効果】
【００１０】
本発明のマイナスイオン発生器は、温水送水管により外部から加圧した温水を発生器のほぼ中心線付近に配置されている温水噴出内管に送り込むと、その温水噴出内管には外周壁のほぼ全域に多数の温水噴出口が分散配設されているので、加圧した温水を各噴出口より管のほぼ全長に亘る周囲３６０度の範囲にくまなく放出できる。それ故、温水噴出内管の周囲に充填されている多数のマイナスイオン生成材を効率よく加熱、加圧等して、温水を多量にマイナスイオン化できる。そして、温水噴出管の全長に沿う周囲の各場所で夫々発生したマイナスイオンを含む温水を、マイナスイオン生成材収容外管にはその外周壁に管の長手方向に沿って多数の温水噴出口が分散配設されているので、近くにある各噴出口より夫々噴出させて、効率よく外部に取り出すことができる。
【００１１】
又、本発明のマイナスイオンサウナは、上記マイナスイオン発生器から噴出するマイナスイオンを含む温水を容器に溜め、その温水溜め容器から温水を導いてサウナ室内に噴水を設けることにより、噴水の位置を選択でき、その噴水を床部に設け、又は床部より高く掲げて支持して、滝状に落下させること等もできる。それ故、多量の水蒸気を発生させる等してサウナ室内を高湿化し易く、温水に含まれているマイナスイオンを空気中に拡散して多量に含ませることができる。
【００１２】
そして、マイナスイオン発生器と温水溜め容器とをサウナ室の外部に設置すると、それ等をサウナ室内に設置する場合と比べ、当然サウナ室の内部空間を広くでき、或いは狭めることが可能になる。しかも、そのマイナスイオン発生器から噴出し落下する温水に向けて風を送る送風機の噴射口を設け、サウナ室の壁部又は床部に、発生したマイナスイオンを含む水蒸気を空気の対流によってサウナ室内に導く水蒸気導入穴又は導入管を設けることにより、サウナ室内を高湿化し易く、水蒸気に含まれているマイナスイオンを空気中に拡散して多量に含ませることができる。
【００１３】
又、上記温水溜め容器中の温水に酸素ガスを混入すると、温水を酸素ガスにより泡立たせて、多量のマイナスイオンを含む温水中に、更に多量の酸素を含ませて、健康と美容を促進できる。
【発明を実施するための最良の形態】
【００１４】
以下、添付の図１〜７を参照して、本発明の実施の最良形態を説明する。
図１は本発明を適用した１人用マイナスイオンサウナの縦断面図、図２はその床部の要部縦断面図である。このマイナスイオンサウナ１はサウナ室の室内空間２を形成する床部３、周囲の側壁部４、天井壁部５等のほぼ全てを出入口箇所（図示なし）等を除いて、マイナスイオン生成材を用いて形成する。そして、入浴者が横たわる等しながらマイナスイオン、遠赤外線を受ける床部３の主要部となるマイナスイオン生成用床部６を上、中、下のいずれも厚みが例えば１０ｃｍ程の３層床部７、８、９からなる積層体にする。
【００１５】
施工時には、先ずサウナ室の基礎１０を普通のコンクリート例えばセメント１０％、砂３０％、砂利６０％を練り合わせたものをべた打ちして形成する。すると、そのコンクリート基礎１０が床部３の最下部を構成する。そこで、コンクリート基礎１０に対し、出入口箇所を除く周囲の側壁部４、天井壁部５を高断熱性能を有するマイナスイオン生成材例えば黒曜石加工パーライト（製造元：芙蓉パーライト株式会社）、軽石砂、粉砕した軽石、粉砕した焼石等を含むコンクリートを用い、１５ｃｍ程の厚みに形成する。その際、例えばセメント１０％、砂１５％、マイナスイオン生成材７５％を練り合わせて用いる。すると、サウナ室の仕切られた室内空間２がほぼ完成する。なお、黒曜石加工パーライトは黒曜石を砕き、約１０００℃で焼成加工した独立気泡の粒状発泡体であり、軽石砂、軽石、焼石等は多孔質の火山岩石片であって、いずれもトルマリン等と比べて安価である。因みに、軽石砂、軽石は黄白色を呈する同一の火山噴出物層から産出し、大きさが異なるだけで同性質を備えている火山砂と火山弾であって、軽石が水に浮く程軽くもろいのに対し、焼石は浅間山麓で一般に焼石と呼ばれている火山弾であって、表面がごつごつしていて中心が硬く全体の強度が大きい。
【００１６】
そこで、コンクリート基礎１０の上にマイナスイオン生成用床部６を形成するため、噴水滝形成箇所１０ａを除く全面に、断熱材例えば板状のプラスチック製発泡材を敷く。すると、コンクリート基礎１０の上に断熱層１１を形成できる。次に、その断熱層１１の上にマイナスイオン生成用床部６の下層床部９を形成する。その際、先ず断熱層１１の上面全体に暖房装置の加熱用温水管１２をほぼ均等に分散させて配管するため、その配管の台部１３として例えば細長い木製板材を配管箇所に置き、組み付けて配置する。
【００１７】
そして、その配置した温水管１２に対し、例えば金属製の屈曲した管押え１４と頭付き止め棒１５との組み合せからなる止め具１６を多数用い、温水管１２の必要箇所をコンクリート基礎１０に夫々固定する。その際、各管押え１４と結合する止め棒１５をいずれも断熱層１１を貫いてコンクリート基礎１０の内部に打ち込む。すると、図３に示すように温水管１２を断熱層１１上に屈曲させて配設できる。なお、１７は暖房装置の本体であり、加熱した水道水等の温水を加熱用温水管１２を通じて循環させるのに必要な各種装置、例えばポンプ、バーナー、温度コントローラ等を適宜備えている。
【００１８】
そこで、加熱用温水管１２を配設した断熱層１１の上に、高断熱性能を有するマイナスイオン生成材例えば黒曜石加工パーライト等を含むコンクリートを、壁部４、５を形成した場合と同一成分にして打つ。すると、コンクリート１８の内部に温水管１２が埋設でき、下層床部９が完成する。但し、下層床部９を形成するコンクリート１８の上面周辺部をロ字状に少し凹所にし、そこを温水溝１９の底部を形成する設置箇所にする。なお、図３の網目箇所はその温水溝１９を設ける箇所２０を示している。
【００１９】
そして、温水溝１９を形成する際に、例えば水路形成用コンクリート製品であるＵ字溝を設置し、その上開口に多数の穴付き上蓋２１として強度の大きな網状体を施す。すると、その温水溝１９に後述する噴水滝形成装置の高所温水溜め容器との間を送水管で結合させて噴水を設け、落下してくる温水を溜めて、同装置の低所温水溜め容器に流し込むことができる。又、下層床部９にはその上面に臨む小開口を有し、コンクリート基礎１０の内部に達する排水管２２を垂直方向に必要数分配して配置する。すると、マイナスイオン生成用床部６の上面等を高圧蒸気噴射洗浄機を用いて清掃し、或いは殺菌消毒をする際に、下層床部９の上面に達する多量の排水等を外部に良く排出できるため、サウナ室内を衛生的に保つことができる。
【００２０】
このような下層床部９の温水溝１９を形成するロ字状に配設されたＵ字溝の内側壁で囲まれた上面上に中層床部８を設ける。その際、中層床部８を多数のマイナスイオン生成材例えば多数のトルマリンの原石、黒曜石の原石等を集積した集積体により形成する。なお、中層床部８を形成するマイナスイオン生成材として、当然ラジウム鉱石の原石、麦飯石の原石、北投石の原石等を用いることもできる。
【００２１】
そして、中層床部８の上に高断熱性能を有するマイナスイオン生成材を含むコンクリートブロックを置いて上層床部７を形成する。このコンクリートブロックには高断熱性能を有するマイナスイオン生成材としてやはり黒曜石加工パーライト等を、壁部４、５、下層床部９を形成した場合と同一成分のコンクリートにして用いる。なお、使用する黒曜石は産地として有名な長野県和田峠産であり、その成分含有率の一例を表１に示す。
【００２２】
【表１】
2006296555.tif 000003
【００２３】
そして、コンクリートブロックの成形時に、図４に示すようにそのブロックの中央部に上下に貫通する複数例えば１２個の貫通穴２３を３行４列に並べてほぼ均等に分散配設する。その際、各貫通穴２３を形成するために両開き管２４を使用するとよい。又、そのブロック上面の通路２５となる周辺部を除くベッド２６の部分に、多数例えば５５２個のマイナスイオン生成材からなる身体支持用部材２７を１８行３４列に並べてほぼ均等に分散配置し、その各身体支持用部材２７を上面より一部を夫々突出させて植設する。
【００２４】
その際、身体支持用部材２７として、例えば図５に示すような表皮層２８をトルマリン粉末、芯部２９を黒曜石粉末にし、９５０℃以下の低温で焼結した直径が２ｃｍ程の球状体を用いる。すると、マイナスイオン生成能力が大きく高価なトルマリンを球状体の薄い表皮層２８のみに少量用い、大部分を占める芯部２９を安価な黒曜石にすることによって、マイナスイオン発生能力の大きな球を安価に形成できる。
【００２５】
しかし、コンクリートブロックは中層床部８の上に直接コンクリートを打って成形せず、中層床部８と共に外して天日干して活性化させたり、取り換えたりできるようにするため、他の場所で製品化して持ち込み、中層床部８の上に置いて用いる。そして、コンクリートブロック設置後、各貫通穴２３の中にマイナスイオン生成材として例えば身体支持用部材として用いる球状体２７と同一の球状体２７ａを多数充填する。なお、上下開口に網状体を夫々施して蓋をする。すると、マイナスイオン生成用床部６が完成する。
【００２６】
このようなマイナスイオン生成用床部６の一側に、マイナスイオン発生器３０を備え、発生したマイナスイオンを含む温水を噴水により滝状に落下させる噴水滝形成装置３１を設ける。そこで、コンクリート基礎１０の噴水滝形成箇所１０ａと天井壁部５との間の高所に、その天井壁部５の直近位置から順次接近させて下方に、マイナスイオン発生器３０、そのマイナスイオン発生器３０から噴出するマイナスイオンを含む温水を溜める温水溜め容器３２、その温水溜め容器３２から温水を導いて噴水を形成し、落下させる滝形成用噴水管３３等を夫々設置する。又、噴水滝形成箇所１０ａの直近上、その室内側の上側に滝状に落下する噴水を受ける噴水滝受け容器３４を備えたマイナスイオンを含む温水溜め容器３６を設け、更にサウナ室外側にその温水をマイナスイオン発生器３０に送るポンプ３５を備えた設備を設ける。
【００２７】
そして、マイナスイオン発生器３０にはマイナスイオン生成材と温水を収容する容器として、図６に示すような例えば外径が１５ｃｍと４０ｃｍ、長さをいずれもサウナ室内の幅より少し短くした内外管３７、３８、その両端を閉じる側蓋３９（３９ａ、３９ｂ）等からなるプラスチック製の筒状体を、その中心線が水平となるように設置して用いる。その際、内管３７を温水噴出管として用いるため、その一端付近から他端付近まで外周壁のほぼ全域に多数の温水噴出口４０を等間隔にして螺旋状に配設する。又、外管３８をマイナスイオン生成材収容管として用い、多量に発生したマイナスイオンを含む温水を外部に放出するため、その一端付近から他端付近まで管の長手方向に沿って外周壁の最下部に多数の温水噴出口４１を等間隔にして分散配設する。
【００２８】
又、両側蓋３９として、いずれにもマイナスイオン生成材収容外管３８の一端部又は他端部付近の外周壁を覆う円筒状被覆部４２と、その一端又は他端開口を閉じる円板状閉鎖部４３との結合体を用いる。そして、各円板状閉鎖部４３には更にその内面中央部に温水噴出内管３７の端部支持凹所を設ける。但し、一方の円板状閉鎖部４３の外面中央部のみにポンプ３５で加圧した温水を温水噴出内管３７に送り込む温水送水管４４との管継手４５を備えた接続管を設けておく。
【００２９】
組立時、マイナスイオン生成材収容外管３８の内部に温水噴出内管３７を収容し、一方の側蓋３９ａを取り付けて、温水噴出内管３７をほぼ同心状に配置した後、そのマイナスイオン生成材収容外管３８と温水噴出内管３７との間の空間内に、多数のマイナスイオン生成材例えばトルマリンの原石、黒曜石の原石等を充填する。当然、他のマイナスイオン生成材であるラジウム鉱石の原石、麦飯石の原石、北投石の原石等も充填材として使用できる。その後、他方の側蓋３９ｂを取り付けるとマイナスイオン発生器３０が完成する。なお、各側蓋３９の円筒状被覆部４２の内面と、マイナスイオン生成材収容外管３８の両端部外面とに対応するねじ山と溝とを夫々設けておくと、組立、分解を自在に行えて好都合となる。当然、マイナスイオン発生器３０を構成する各部材の接合箇所に、パッキン、Ｏリング、その他の密閉部材を適宜用いる。
【００３０】
このようなマイナスイオン発生器３０の下部付近を収容する温水溜め容器３２として、天井部を全面開口にし、底部を平底にしたプラスチック製箱型容器を用いる。そして、温水溜め容器３２の一側面から内部に溜まる温水をサイホン原理を利用して送水する温水送水管４６を垂直下方に伸ばして設け、その先端部に滝形成用噴水管３３を接続し、その噴水管３３を温水溜め容器３２の底部から少し下方に離して水平に保って設置する。又、温水溜め容器３２の一側面から同様にして内部に溜まる温水を送水する温水送水管４７を垂直下方に伸ばして設け、温水溝１９の底部上に置いて水平に保ち、その温水溝１９の内部で本管から分岐して多数の噴水管４８を立ち上げ、その各床用噴水管４８の先端に噴出口を設け、その噴射口付近を上蓋２１に設けた各穴から夫々覗かせて分散配設する。その際、温水送水管４７は温水を加圧するため、垂直部を太く、水平部を細くする。すると、床部３の通路２５とベッド２６の外側を取り囲むようにして多数の噴水を配置できる。なお、温水送水管４６、４７の入口側をサイホン管にするのは温水溜め容器３２に温水を一定量残すためである。
【００３１】
そして、温水溜め容器３２の内部にマイナスイオンを発生させるため、その底部付近にマイナスイオン生成材例えばトルマリンの原石、黒曜石の原石等を収容する。又、容器３２の内部に溜まる温水を暖め、一定温度例えば４０℃に保つため、加熱器として例えば暖房装置１７の本体に接続するラジエーター４９を収容し、温度センサー（図示なし）を備える。又、温水に酸素ガスを混入させるため、側壁部４の外側に酸素ボンベ等を備えた酸素供給装置（図示なし）を設置し、ガス管５０の口を容器３２の内部に臨ませる。すると、温水を酸素ガスにより泡立たせ、多量のマイナスイオンを含む温水中に、更に多量の酸素を含ませて健康と美容を促進させることができる。なお、容器３２から温水があふれないようにするため、温水溜め容器３２の最高水位を設定し、水位検出センサー（図示なし）を備えて、ポンプ３５を制御する。
【００３２】
又、温水溜め容器３２の下側に設置する滝形成用噴水管３３として、多数の噴出口５１を管の長手方向に沿って外周壁の最上部のほぼ全域に等間隔にして分散配設した管を用いる。すると、各噴出口５１から温水を夫々上方に噴出させた後、滝状に落下させることができる。そこで、噴水管３３の下側の後方に送風管５２を設置し、その送風管５２として、多数の噴射口５３を管の長手方向に沿って外周壁の全面中央部のほぼ全域に等間隔にして分散配設した管を用いる。すると、落下する温水に後方から風を送って飛散させ、多量の水蒸気等を発生させることができる。なお、送風機５４は側壁部４の外側直近に設置する。
【００３３】
このような落下温水を低所で受ける噴水滝受け容器３４として、天井部を全面開口にし、底部５５を前側が低く、後側が高い段差付きの強度の大きな網状体で構成したプラスチック製箱型容器を用いる。そして、噴水滝受け容器３４の内部にマイナスイオンを発生させるため、その底部付近に温水溜め容器３２に収容したものと同様のマイナスイオン生成材を収容する。又、温水溜め容器３６の底部付近に同様のマイナスイオン生成材を収容する。すると、温水溝１９にも同様のマイナスイオン生成材を網状体５７で支えて収容し、その底部付近に空間部５６を形成しておき、その空間部５６と低所温水溜め容器３６との間に連通穴５８を設け、その溝１９に溜まる温水を低所温水溜め容器３６に戻し、滝状に落下してくる温水と共に溜め、再度その温水をマイナスイオン発生器３０へポンプ３５で加圧して送水管４４を経て送り、循環させることができる。なお、温水溝１９、マイナスイオン発生器３０、高所温水溜め容器３２、噴水滝受け容器３４、低所温水溜め容器３６等に収容したマイナスイオン生成材も当然取り出して天日干しや、取り換え等することができる。
【００３４】
このようにして、サウナ１の室内にマイナスイオン生成用床部６、温水溝１９、噴水滝形成装置３１を設置し、更に出入口にドア（図示なし）を設置する等すると、サウナ１が完成する。使用時、床部加熱用温水管１２とラジエーター４９に低温例えば４０℃程の温水を供給する。すると、床部加熱用温水管１２から発生する熱が先ず下層床部９を構成するコンクリートに伝わり、更に中層床部８、上層床部７へと伝って、サウナ室内を暖めることができる。そして、上、中、下の３層床部７、８、９を構成するマイナスイオン生成材とサウナ室内の空気、水分が夫々加熱され、温度が高くなって行く。
【００３５】
それ故、マイナスイオン生成材と接触した空気、水分がマイナスイオン化され易くなり、多量のマイナスイオンが発生する。又、マイナスイオン生成材から多量の遠赤外線が発生する。そして、サウナ室内に上、中、下の３層床部７、８、９から多量の遠赤外線が放射され、更に上層床部７とその上層床部７に設けられた各貫通穴２３から中、下層床部８、９と、その貫通穴２３に充填されているマイナスイオン生成材から発生した多量のマイナスイオンと熱が放出され、空気の対流等によって充満する。
【００３６】
又、噴水滝形成装置３１ではそのマイナスイオン発生器３０に、外部から送水管４４により加圧した温水が送り込まれると、その温水が発生器３０のほぼ中心線付近に配置されている温水噴出内管３７の各噴出口４０より管のほぼ全長に亘る周囲３６０度の範囲にくまなく放出される。それ故、温水噴出内管３７の周囲に充填されている多数のマイナスイオン生成材を効率よく加熱、加圧等して、温水を多量にマイナスイオン化できる。そして、温水噴出内管３７の全長に沿う周囲の各場所で発生したマイナスイオンを含む温水を、マイナスイオン生成材収容外管３８の近くにある各噴出口４１より夫々噴出させて、効率よく外部に取り出すことができる。
【００３７】
このようなマイナスイオン発生器３０から噴出する多量のマイナスイオンを含む温水を高所温水溜め容器３２で受け、そこから送水管４６の高低差による重力を利用して加圧し、滝形成用噴水管３３に送り込む。すると、管３３のほぼ全長に亘る各噴出口５１より上方に噴出させて噴水を形成させた後、滝状に落下させることができる。それ故、多量の水蒸気が発生する。しかも、後方から滝面に直角に風を送ることにより、更に多量の水蒸気が発生するので、室内を高湿化し易く、温水に含まれているマイナスイオンを空気中に拡散して多量に含ませることができる。なお、高所温水溜め容器３２で温水中に酸素ガスを供給しているので、当然発生する水蒸気中には多量の酸素が含まれている。
【００３８】
又、高所温水溜め容器３２から多量のマイナスイオンを含む温水を温水送水管４７を通じて床部６の温水溝１９に備えた各床用噴水管４８に送り込むと、上方に噴出させて噴水を形成できる。それ故、床面付近に特に多量の水蒸気を発生させて、空気中に多量のマイナスイオン、酸素を含ませることができる。しかも、温水溝１９、高所温水溜め容器３２、噴水滝受け容器３４、低所温水溜め容器３６等には、いずれにもマイナスイオン生成材が収容されているので温水を多量にマイナスイオン化できる。なお、マイナスイオン生成材からは当然遠赤外線が発生する。
【００３９】
又、サウナ室の周囲側壁部４、天井壁部５を、高断熱性能を有するマイナスイオン生成材を含むコンクリートにすることにより、広く体積の大きな壁部４、５に多量のマイナスイオン生成材が含まれる。それ故、室を暖めてマイナスイオン生成材を加熱すると、その多量のマイナスイオン生成材により空気、水分をマイナスイオン化し、多量のマイナスイオンを空気中に拡散して含ませることができる。又、多量の遠赤外線を放射できる。しかも、上、下層床部７、９と周囲の側壁部４、天井壁部５に黒曜石加工パーライト等を含むコンクリートを用いると、周囲６面の保温率、熱輻射率を高め断熱性を大きくして、サウナ室の断熱効果を大きくできるので、省エネルギーに適する。
【００４０】
このようなサウナ１の室内には多量のマイナスイオンと酸素が満ち、多量の遠赤外線が放射されている上、温度が４０℃程の低温に保たれ、湿度もあまり高くなく６０％程なので、入浴者が長時間居ても快適に過ごせる。そして、自分の好きな音楽を聞き、滝を見る等すると一層リラックスできる。入浴者がベッド２６に横たわると、身体が床面全体にほぼ均等に分散配設されて突出している多数のマイナスイオン生成材からなる身体支持用部材２７で支えられる。
【００４１】
すると、横たわった人が床面に密接触せず、各身体支持用部材７で支えられる背側の当接箇所が夫々温熱指圧され、床面との間に少し空間ができる。そして、その下側空間内に周囲からマイナスイオンが侵入し、横たわった人の背側にもほぼ均等に多量のマイナスイオンが触れる。それ故、横たわった人の背側に多数の身体支持用部材２７による温熱指圧効果が作用し、全身で多量のマイナスイオンと多量の遠赤外線を受け多量の酸素を呼吸して、健康、美容効果を享受できる。
【００４２】
上記実施の形態ではマイナスイオン発生器３０を備えた噴水滝形成装置３１をサウナ室の内部に設ける場合について説明したが、マイナスイオン発生器を備えた滝形成装置をサウナ室の外部に設置することによって、当然サウナ室の内部空間を広くでき、或いは狭めることが可能になる。そこで、サウナ室の外部にマイナスイオン発生器を備えた滝形成装置を設置する場合の１例を図７に示し、対応する部分に同一符号を記して以下に説明する。外部に設置する場合も内部に設置したマイナスイオン発生器３０と同一構造のものを用いて高く掲げて支持する。しかし、高所に温水溜め容器、滝形成用噴水管を設けず、低所のみに温水溜め容器３６を設ける。
【００４３】
すると、マイナスイオン発生器３０の外管３８から放出された多量のマイナスイオンを含む温水が落下して、直接温水溜め容器３６に溜まる。そこで、温水溜め容器３６を仕切壁５９により２分し、その温水溝１９と連通する側の部分にマイナスイオン発生器３０へ温水を送るポンプ３５を設置する。又、その他側部分にポンプ６０を設置して、マイナスイオン生成用床部６の周囲に配設した多数の床用噴水管４８に温水を供給する送水管４７を接続する。そして、その他側部分には更に温水を暖めるためのラジエーター４９、酸素ガス管５０等を設置する。
【００４４】
このようなマイナスイオン発生器３０の外管３８から直接滝状に落下する温水に対し、送風管５２を設置して、後方から滝面に直角に風を送る。すると、マイナスイオン発生器３０を備えた滝形成装置３１を設置する付属室６１との境界にある側壁部４に、多量に発生したマイナスイオンを含む水蒸気を空気の対流によってサウナ室内に導く水蒸気導入穴６２を設けることにより、サウナ室内を高湿化し易く、水蒸気に含まれているマイナスイオン、酸素等を空気中に拡散して多量に含ませることができる。なお、水蒸気導入管を用いて床部３、壁部４、５から水蒸気を放出してサウナ室内に導くこともできる。
【００４５】
なお、上記の実施形態では１人用マイナスイオンサウナについて説明したが、マイナスイオン生成用床部の面積を大きくすると、当然ベッドを縦、横等に複数並べて設け、複数人用マイナスイオンサウナにすることができる。
【図面の簡単な説明】
【００４６】
【図１】本発明を適用した１人用マイナスイオンサウナの縦断面図である。
【図２】同１人用マイナスイオンサウナの床部の要部を示す縦断面図である。
【図３】同１人用マイナスイオンサウナの床部加熱用温水管の配置状態を示す横断平面図である。
【図４】同１人用マイナスイオンサウナのマイナスイオン生成用床部の上層床部を構成するコンクリートブロックの平面図である。
【図５】同コンクリートブロックの上面に設置する身体支持用球状体の平面図である。
【図６】同１人用マイナスイオンサウナのマイナスイオン発生器を備えた噴水滝形成装置の要部を示す斜視図である。
【図７】本発明を適用した他の実施形態による１人用マイナスイオンサウナの縦断面図である。
【符号の説明】
【００４７】
１…マイナスイオンサウナ  ２…室内空間  ３…床部  ４、５…壁部  ６…マイナスイオン生成用床部  ７、８、９…上、中、下の各層床部  １０…コンクリート基礎  １０ａ…滝形成箇所  １１…断熱層  １２…加熱用温水管  １６…止め具  １９…温水溝  ２０…温水溝設置箇所  ２２…排水管  ２３…貫通穴  ２６…ベッド  ２７…身体支持用部材  ３０…マイナスイオン発生器  ３１…滝形成装置  ３２、３６…高低所温水溜め容器  ３３…滝形成用噴水管  ３４…噴水滝受け容器  ３５、６０…ポンプ  ３７…温水噴出内管  ３８…マイナスイオン生成材収容外管  ３９…側蓋  ４０、４１、５１…噴出口  ４４、４６、４７…温水送水管  ４８…床用噴水管  ４９…ラジエーター  ５０…酸素ガス管  ５２…送風管  ５３…噴射口  ５８…温水戻し穴  ５９…仕切壁  ６１…付属室  ６２…水蒸気導入穴
【図１】
2006296555.tif 000004
【図２】
2006296555.tif 000005
【図３】
2006296555.tif 000006
【図４】
2006296555.tif 000007
【図５】
2006296555.tif 000008
【図６】
2006296555.tif 000009
【図７】
2006296555.tif 000010